(57)【特許請求の範囲】
【請求項１】
ロール状シートの芯となる紙管において、
紙管原紙により構成された中空円筒の紙管層と、
前記紙管層の内周面若しくは外周面に設けられた緩衝部材と、
前記紙管層と前記緩衝部材との間に挟持され、香料が封入されたカプセルと、
を備え、
前記カプセルは、直径が４ｍｍ以上、６ｍｍ以下であることを特徴とする紙管。
【請求項２】
ロール状シートの芯となる紙管において、
紙管原紙により構成された中空円筒の紙管層と、
前記紙管層の内周面若しくは外周面に設けられた緩衝部材と、
前記紙管層と前記緩衝部材との間に挟持され、香料が封入されたカプセルと、
を備え、
前記内周面の使用開始時に前記カプセルを潰すために押圧する位置には色付け、若しくは、マーキングされていることを特徴とする紙管。
【請求項３】
前記内周面の使用開始時に前記カプセルを潰すために押圧する位置には色付け、若しくは、マーキングされていることを特徴とする請求項１に記載の紙管。
【請求項４】
前記緩衝部材は、前記紙管層に螺旋状に巻回されて設けられることを特徴とする請求項１から３のいずれか一項に記載の紙管。
【請求項５】
請求項１から４のいずれか一項に記載の紙管と、
前記紙管を芯として巻回されたシートと、を備えることを特徴とするロール状シート。
【発明の詳細な説明】
【技術分野】
【０００１】
本発明は、紙管及び当該紙管を使用したロール状シートに関する。
【背景技術】
【０００２】
従来、トイレットペーパーが紙管に巻回されたトイレットロールにおいて、紙管に香料を付与したものが知られている。このような香り付きのトイレットロールにおいては、使用中の香りの持続性の他に、使用開始までは香料が揮発しない性能（以下、保香性）が要求される。
【０００３】
しかし、トイレットロールは製造後に複数個まとめてポリエチレンやポリプロピレン等からなる包装フィルムで包装された状態で出荷され、消費者に使用されるまでにはかなりの時間を要するため、使用時に香りが弱くなるという問題があった。
【０００４】
そこで、例えば、紙管を構成する内側中空円筒と外側中空円筒との間に香料を介在させると共に、内側中空円筒、或いは、外側中空円筒に複数の穿孔を設けることにより、特に初期段階での香りの揮発が不十分であった欠点を解消し、常時均一な揮発効果を得られる香り付きトイレットロールが開示されている（例えば、特許文献１参照）。
【先行技術文献】
【特許文献】
【０００５】
【特許文献１】特許第４１５９０６１号公報
【発明の概要】
【発明が解決しようとする課題】
【０００６】
しかしながら、特許文献１に記載されたようなトイレットロールでは、内側中空円筒と外側中空円筒との間に香料を介在させるため、使用開始までの香料の揮発をある程度抑制できるものの、徐々にではあるが香料が揮発するために、トイレットロールの製造後、消費者の使用開始までの時間が長い場合には、やはり、使用時に香りが弱くなってしまうといった問題点があった。
【０００７】
本発明の課題は、使用開始までの香料の揮発を防ぎ、消費者の意思により香料の揮発を開始できる紙管及び当該紙管を使用したロール状シートを提供することにある。
【課題を解決するための手段】
【０００８】
前記課題を解決するために、請求項１記載の発明は、
ロール状シートの芯となる紙管において、
紙管原紙により構成された中空円筒の紙管層と、
前記紙管層の内周面若しくは外周面に設けられた緩衝部材と、
前記紙管層と前記緩衝部材との間に挟持され、香料が封入されたカプセルと、
を備え、
前記カプセルは、直径が４ｍｍ以上、６ｍｍ以下であることを特徴とする。
【０００９】
請求項２記載の発明は、
ロール状シートの芯となる紙管において、
紙管原紙により構成された中空円筒の紙管層と、
前記紙管層の内周面若しくは外周面に設けられた緩衝部材と、
前記紙管層と前記緩衝部材との間に挟持され、香料が封入されたカプセルと、
を備え、
前記内周面の使用開始時に前記カプセルを潰すために押圧する位置には色付け、若しくは、マーキングされていることを特徴とする。
【００１０】
請求項３記載の発明は、請求項１に記載の紙管において、
前記内周面の使用開始時に前記カプセルを潰すために押圧する位置には色付け、若しくは、マーキングされていることを特徴とする。
【００１１】
請求項４記載の発明は、請求項１から３のいずれか一項に記載の紙管において、
前記緩衝部材は、前記紙管層に螺旋状に巻回されて設けられることを特徴とする。
【００１２】
請求項５に記載の発明は、ロール状シートにおいて、
請求項１から４のいずれか一項に記載の紙管と、
前記紙管を芯として巻回されたシートと、を備えることを特徴とする。
【発明の効果】
【００１３】
本発明によれば、香料が封入されたカプセルを紙管と緩衝部材との間に挟持させることにより、予期せぬ外力でカプセルが潰れることによる香料の揮発を防ぎ、消費者の意思により香料の揮発を開始できる。
【図面の簡単な説明】
【００１４】
【図１】本発明のロール状トイレットペーパーの斜視図である。
【図２】本発明の紙管の側面図（ａ）及びＸ−Ｘ部断面図（ｂ）である。
【図３】本発明の紙管の断面図（ａ）及び、その一部の拡大図（ｂ）である。
【図４】本発明の紙管の形成方法を示す説明図である。
【発明を実施するための形態】
【００１５】
以下、図面を参照しつつ、本発明の実施形態である紙管及び当該紙管を使用したロール状シートを詳細に説明する。但し、発明の範囲は、図示例に限定されない。
【００１６】
（実施形態）
本実施の形態では、シートとしてトイレットペーパーを例示して、ロール状シートとしてロール状トイレットペーパーを例示して、説明することとする。
【００１７】
＜ロール状トイレットペーパー＞
ロール状トイレットペーパー１００は、例えば、図１に示すように、紙管１と、紙管１を芯として巻回されたトイレットペーパー２と、などを備えて構成され、紙管１内にペーパーホルダーの支持部を挿入した状態で、トイレットペーパー２を引き出して使用するのが一般的である。
ロール状トイレットペーパー１００の大きさは特に限定されないが、直径１００〜１２０ｍｍ、幅１００〜１１５ｍｍ、紙管径３５〜５０ｍｍのものが一般的であり、本発明においても好適である。
【００１８】
トイレットペーパー２を構成する原紙は、原料パルプを主原料とする薄葉紙用抄紙原料により製造できる。その原料パルプは、特に限定されるものではなく、トイレットペーパー２の具体的な用途に応じて適宜の原料パルプを選択し、また適宜配合して使用することができる。
【００１９】
また、トイレットペーパー２のプライ数及び坪量は、その用途によって適宜調整することができるが、プライ数が１プライから３プライ、全体での紙厚１００〜２７０μｍ、１プライあたりの坪量は１０〜３０ｇ／ｍ２の範囲内にあるものを使用するのが望ましい。坪量が１０ｇ／ｍ２未満では、柔らかさの向上の観点からは好ましいものの、使用に耐えうる十分な強度を適正に確保することが困難となる。逆に、坪量が３０ｇ／ｍ２を超えると紙全体が硬くなると共に、ゴワ付き感が生じてしまい肌触りが悪くなる。なお、坪量の測定方法は、ＪＩＳ  Ｐ  ８１２４（１９９８）による。
【００２０】
また、紙厚の測定方法は、試験片をＪＩＳ  Ｐ  ８１１１（１９９８）の条件下で十分に調湿した後、同条件下でダイヤルシックネスゲージ（厚み測定器）「ＰＥＡＣＯＣＫＧ型」（尾崎製作所製）を用いて測定するものとする。具体的には、プランジャーと測定台の間にゴミ、チリ等がないことを確認してプランジャーを測定台の上に下ろし、前記ダイヤルシックネスゲージのメモリを移動させてゼロ点を合わせ、次いで、プランジャーを上げて試料を試験台の上におき、プランジャーをゆっくりと下ろしその時のゲージを読み取る。この時、プランジャーをのせるだけとする。プランジャーの端子は金属製で直径１０ｍｍの円形の平面が紙平面に対し垂直に当たるようにし、この紙厚測定時の荷重は、約７０ｇｆである。なお、紙厚は、１プライの場合は１プライで測定し、複数プライの場合は複数プライで測定する。測定値は、測定を１０回行って得られる平均値とする。
【００２１】
＜紙管＞
紙管１は、例えば、図１に示すように、略中空円筒形状をなしている。
図２は、紙管１の側面図及びＸ−Ｘ部断面図であって、図２（ａ）の側面図に示すように、紙管１は、内側紙管原紙１１（内側のため図面には付番せず。）及び外側紙管原紙１２が共に螺旋状に巻かれて接着剤で貼り合わされた二層積層構造のスパイラル紙管である。
好ましくは、坪量１２０〜２２０ｇ／ｍ２、紙厚１５０〜５００μｍの内側紙管原紙１１及び外側紙管原紙１２を螺旋状に巻いて二層積層構造にしたスパイラル紙管が紙管１の強度を確保しやすい。
例えば、図２（ａ）中のＪＴ２１、ＪＴ２２及びＪＴ２３に示す実線は、外側紙管原紙１２を螺旋状に巻いて構成される外層ＯＬ２１の図面前面側に形成される外側紙管原紙１２の継ぎ目部分であり、また、ＪＴ２４及びＪＴ２５に示す破線は、外側紙管原紙１２を螺旋状に巻いて構成される外層ＯＬ２１の図面裏面側に形成される外側紙管原紙１２の継ぎ目部分である。
なお、図２（ａ）中の付番していない他の破線は、内側紙管原紙１１を螺旋状に巻いて構成される内層ＩＬ２１に形成される内側紙管原紙１１の継ぎ目部分である。
また、内層ＩＬ２１及び外層ＯＬ２１は紙管層ＬＹ２１を構成している。
【００２２】
また、図２（ｂ）のＸ−Ｘ部断面図に示すように、紙管１は、内側紙管原紙１１及び外側紙管原紙１２を螺旋状に巻いた中空円筒からなる紙管層ＬＹ２１と、紙管層ＬＹ２１の内周面に設けられ、香料が封入されたカプセルＣＰ２１と、カプセルＣＰ２１の破損を防ぐと共に、香料の付着を軽減する緩衝部材ＣＳ２１と、を有している。
【００２３】
カプセルＣＰ２１は、ゼラチン等で構成され、内部に香料を内包する。また、使用開始時に使用者がカプセルＣＰ２１を潰すことにより、内包されていた香料の揮発を開始する。また、カプセルＣＰ２１は使用時に潰しやすいように直径が４ｍｍ以上であることが好ましい。カプセルＣＰ２１の皮膜は３μｍ〜５０μｍが好ましい。また、より良い条件では５μｍ〜２０μｍである。厚さが５０μｍを超える場合は外力で潰れにくいものの、使用者がカプセルＣＰ２１を潰し難くなる。一方で３μｍ未満では、特に外側紙管原紙にカプセルＣＰ２１が付与された場合、予期せぬ外力で潰れてしまう可能性がある。
香料カプセルの製造方法は特に限定されないが、例えば滴下法を用いればシームレスな被膜を有する香料カプセルを製造できるので好ましい。この方法は二重ノズルを用い、内側ノズルから香料含有溶液を、外側ノズルから液状の被膜物質を同時に吐出させることにより行うことができる。
カプセル内には、香料の他に、溶媒、色素、乳化剤等の他の添加剤を含有しても良い。香料含有溶液の溶媒として、例えば中鎖脂肪酸トリグリセリド（ＭＣＴ）を用いることができる。
被膜には、例えば、でんぷん、デキストリン、多糖類、寒天、ジュランガム、ゼラチン、カラギーナン、各種天然ゲル化剤、グリセリン、各種ワックス、ソルビトール、塩化カルシウム等と用いることができ、さらに香料や着色料を含むこともできる。
【００２４】
緩衝部材ＣＳ２１は、不織布等で構成され、カプセルＣＰ２１を覆うことにより、使用時まで予期せぬ外力でカプセルＣＰ２１が潰れることを防止すると共に、カプセルＣＰ２１を潰して使用する際に、カプセルＣＰ２１から染み出した香料がトイレットペーパー２に過剰に付着せず、或いは、ペーパーホルダーの支持部に香料が付着するのを軽減する。また、緩衝部材ＣＳ２１としては、不織布の他には、ポリウレタン等の合成樹脂からなるスポンジ系でもよい。
紙管１内側に緩衝部材ＣＳ２１を付与する場合、緩衝部材ＣＳ２１の厚さは、５０μｍ〜２０００μｍが好ましい。また、より良い条件では２００μｍ〜６００μｍである。
厚さが５０μｍ未満では、予期せぬ外力で潰れたり、使用者が潰す時に痛みが発生し、逆に、厚さが２０００μｍを超える場合では、特に紙管１外側に緩衝部材ＣＳ２１を付与する場合、粒径によっては使用者がカプセルの場所が分かりにくかったり、内側に付与する場合ホルダーに掛けた時、ロールが円滑に回転しにくい。
一方、厚さが２００μｍ〜７００μｍの範囲ではカプセルの場所もわかりやすく、押し潰しても痛くない。外力で潰れにくい。また、緩衝部材ＣＳ２１である不織布の幅は２０ｍｍ以上が望ましい。
紙管１内側に緩衝部材ＣＳ２１を付与した場合、２０ｍｍよりも幅が短いと、ロールが円滑に回転しにくい。
紙管１外側であっても、幅が短いと紙管１成形後に紙管搬送用コンベアやペーパーを巻付ける時等、他の設備との接触により緩衝部がレホがれる可能性がある。
製造方法は限定されないが、例えば下記の方法でカプセルを不織布に貼り合わせ、その後紙管を成形することができる。すなわち、不織布全面に酢酸ビニル系等の接着剤を塗布後、流れ方向に対して、一定間隔でカプセルを接着部に付与し、その後紙管内側原紙又は外側原紙と貼り合わせる。
【００２５】
また、カプセルＣＰ２１に内包される香料は、特に限定されるものではないが、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモス又はモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料、或いはこれらの２つ以上の混合物を上げることができる。
【００２６】
ちなみに、図２（ｂ）においては、各層（内層、外層）の構成を見やすくするため、緩衝部材ＣＳ２１の厚さを誇張して表現しているが、実際には、内側紙管原紙１１及び外側紙管原紙１２と比較して、緩衝部材ＣＳ２１の厚さは薄く、緩衝部材ＣＳ２１は、内側紙管原紙１１の内周面に塗布された酢酸ビニル系等の接着剤によって、貼り合わされることになる。
【００２７】
ここで、紙管１の形成方法について図３及び図４を用いて説明する。図３は、本発明の紙管１の断面図（ａ）及び、その一部の拡大図（ｂ）であり、図４は、本発明の紙管１の形成方法を示す説明図（斜視図）である。
【００２８】
図３（ａ）に示すように、紙管層ＬＹ２１の内周面には緩衝部材ＣＳ２１が接着剤により接着され、緩衝部材ＣＳ２１と紙管層ＬＹ２１の内周面との間にカプセルＣＰ２１が挟持される。
【００２９】
そして、図４に示すように、内側紙管原紙１１等を、螺旋状に巻いて行くことにより、長尺の中空円筒が構成され、構成された長尺の中空円筒を所定の長さに適宜切断することにより、紙管１が形成される。
【００３０】
このように形成された紙管１を使用したロール状シート１００は、カプセルＣＰ２１に香料が内包されており、カプセルＣＰ２１を潰すまで香料の揮発を防ぎ、消費者の意思により香料の揮発を開始できる。
【実施例１】
【００３１】
ここで、表１は、下記に示す条件において、実施例１〜４及び比較例１〜３をポリエチレンフィルムに密閉した上で、保管期間内の製品劣化を想定して、室温５０度、湿度５０％の条件で、０時間静置後、１２時間静置後、２４時間静置後、３６時間静置後、４８時間静置後における芳香の強さの関係を示す試験結果である。
なお、実施例１〜４では、カプセルを上記所定の時間静置後に潰して、芳香の強さを評価している。
【００３２】
比較例１はロールの芯際に、トイレットペーパーと芯の隙間にマイクロピペットを用いて香料１２０μＬ付与する。（無香タイプのエリエールシャワートイレットを使用)
比較例２はロールの芯際に、トイレットペーパーと芯の隙間にマイクロピペットを用いて香料２４０μＬ付与する。（無香タイプのエリエールシャワートイレットを使用)
比較例３はロールの芯際に、トイレットペーパーと芯の隙間にマイクロピペットを用いて香料３６０μＬ付与する。（無香タイプのエリエールシャワートイレットを使用)
また、実施例１〜４は比較例１等と同じロールに対して、紙管１内側に紙管原紙の螺旋状に沿って、一定間隔でカプセルを付与した不織布を貼り付け。（パルプ原料由来の不織布幅３５ｍｍ  厚み１６０μｍ)
不織布全面に酢酸ビニル樹脂系エマルジョン形接着剤を塗布し、カプセルを長手方向に均等に付与。カプセル付与後、不織布を紙管内側へ螺旋方向に貼り付ける。
また。実施例１〜４、比較例１〜３ともに１ロールを厚さ２５μｍのＰＥフィルムに内包し、開け口をヒートシールし密閉（各時間条件で静置）する。
実施例１〜４に関しては、フィルムから開封し、カプセルを全て破壊した後芳香性を確認。
【００３３】
（実施条件）
実施例１：紙管の外周面に緩衝部材とカプセルを有する。
カプセル個数：４個
カプセル粒径：４ｍｍ〜６ｍｍ
カプセル被膜：８μｍ〜１０μｍ
カプセル１個内の香料量：４０μＬ〜７０μＬ
実施例２：紙管の外周面に緩衝部材とカプセルを有する。
カプセル個数：３個
カプセル粒径：４ｍｍ〜６ｍｍ
カプセル被膜：８μｍ〜１０μｍ
カプセル１個内の香料量：４０μＬ〜７０μＬ
実施例３：紙管の外周面に緩衝部材とカプセルを有する。
カプセル個数：２個
カプセル粒径：４ｍｍ〜６ｍｍ
カプセル被膜：８μｍ〜１０μｍ
カプセル１個内の香料量：４０μＬ〜７０μＬ
実施例４：紙管の外周面に緩衝部材とカプセルを有する。
カプセル個数：１個
カプセル粒径：４ｍｍ〜６ｍｍ
カプセル被膜：８μｍ〜１０μｍ
カプセル１個内の香料量：４０μＬ〜７０μＬ
比較例１：紙管に香料１２０μＬを包含させる。
比較例２：紙管に香料２４０μＬを包含させる。
比較例３：紙管に香料３６０μＬを包含させる。
（なお、ロール状トイレットペーパー１００の巻き硬さは１．２ｋｇｆ）
【００３４】
【表１】
0006604799.tif 000002
【００３５】
表１において、検証者は１２人で、５段階で評価し、１２人の検証者の平均値を記載している（評価基準…５：ロールからしっかり香りを感じた。４：香りを感じた。３：やや香りを感じた。２：わずかだが香りを感じた。１：全く香りを感じなかった）。
【００３６】
表１から明らかなように、比較例１では、室温５０度、湿度５０％の条件で、１２時間静置後程度で、平均値が２．７となっているのに対して、実施例１では、室温５０度、湿度５０％の条件で、２４時間静置後であっても、平均値が４．３であり、４８時間静置後であっても、平均値が４．０であって、使用開始までの香料の揮発を防ぎ、消費者の意思により香料の揮発を開始できる。
【００３７】
また、香料が封入されたカプセルを紙管層と緩衝部材との間に挟持させることにより、予期せぬ外力でカプセルが潰れることによる香料の揮発を防ぎ、消費者の意思により香料の揮発を開始できる。
【００３８】
また、表１から明らかなように、実施例４のようにカプセル１個に含まれる香料の量は４０μＬ〜７０μＬであり、表１の比較例１の香料の量１２０μＬより少ないにもかかわらず、４８時間静置後であっても、カプセル１個の場合の平均値が３．１（表１の比較例１の平均値は１．７）であり、使用開始までの香料の揮発を防ぎ、消費者の意思により香料の揮発を開始できることがわかる。
【実施例２】
【００３９】
また、表２は、下記に示す条件において、緩衝部材と紙管層の内周面との間に挟持されたカプセルの大きさと、当該カプセルを認識するための時間との関係を示す試験結果である。
【００４０】
【表２】
0006604799.tif 000003
【００４１】
表２の評価１において、評価「○」は、「３人の検証者のうち３人がカプセルを見つけ易いと感じた。」、評価「×」は、「３人の検証者のうち１人以上がカプセルを見つけにくいと感じた。」、を表す。
【００４２】
表２の評価２において、評価「〇」は、「３人の検証者のうち３人がペーパーホルダーからトイレットペーパーを引き出し易いと感じた。」、評価「×」は「３人の検証者のうち１人がトイレットペーパーを引き出し難いと感じた。」、を表す。
【００４３】
表２の評価１から明らかなように、カプセルの直径が３ｍｍ以下では、カプセルの存在位置を認識するのに時間が必要となり、消費者の意思により香料の揮発を開始させることに若干手間取ることになる。一方、カプセルの直径が４ｍｍ以上であれば、カプセルの存在位置を容易に認識することができるので、消費者の意思により香料の揮発を容易に開始させることができる。
【００４４】
また、表２の評価２から明らかなように、カプセルの直径が７ｍｍ以上の場合、ペーパーホルダーからトイレットペーパーが引き出しにくくなり、このため、カプセルの直径は、６ｍｍ以下であることが好ましい。例えば、カプセルの直径が７ｍｍ以上の場合、カプセルの部分が膨らんで、ペーパーホルダーの支持部と干渉してうまく回らなくなり、トイレットペーパーが引き出し難くなる。
【００４５】
以上のように、本発明の実施形態では、ロール状シート１００の芯となる紙管１において、紙管原紙により構成された中空円筒の紙管層ＬＹ２１と、紙管層ＬＹ２１の内周面に設けられた緩衝部材ＣＳ２１と、香料が封入され緩衝部材ＣＳ２１と内周面との間に挟持されるカプセルＣＰ２１とを備えることにより、カプセルＣＰ２１を潰すまで香料の揮発を防ぎ、消費者の意思により香料の揮発を開始できる。
【００４６】
なお、本発明の実施形態では、内側紙管原紙１１及び外側紙管原紙１２が共に螺旋状に巻かれて接着剤で貼り合わされた紙管層ＬＹ２１から成る二層積層構造のスパイラル紙管が例示されているが、勿論、長方形の内側紙管原紙１１及び外側紙管原紙１２を軸に対して垂直方向に一層だけ巻きつける二層積層構造の平巻き紙管であってもよい。
【００４７】
また、本発明の実施形態では、内側紙管原紙１１及び外側紙管原紙１２が共に螺旋状に巻かれて接着剤で貼り合わされた紙管層ＬＹ２１から成る二層積層構造のスパイラル紙管が例示されているが、勿論、一枚の紙管原紙から構成される一層構造の紙管であってもよい。
【００４８】
また、本発明の実施形態では、紙管層ＬＹ２１の内周面に緩衝部材ＣＳ２１が設けられ、当該緩衝部材ＣＳ２１と紙管層ＬＹ２１の内周面との間にカプセルＣＰ２１は挟持されているが、勿論、紙管層ＬＹ２１の外周面に緩衝部材ＣＳ２１が設けられ、当該緩衝部材ＣＳ２１と紙管層ＬＹ２１の外周面との間にカプセルＣＰ２１を挟持させることも可能である。
【００４９】
また、消費者がカプセルＣＰ２１を潰す際に潰し易いように、紙管層ＬＹ２１の内周面であって、カプセルＣＰ２１が挟持されており、使用開始時にカプセルＣＰ２１を潰すために押圧する部分に色付け、若しくは、マーキングを施してもよい。
すなわち、利用者は、紙管層ＬＹ２１の内周面であって、色付け、若しくは、マーキングの部分を押圧することにより、カプセルＣＰ２１を容易に潰すことができ、消費者の意思により香料の揮発を開始できる。
紙管１内側にカプセルＣＰ２１を付与する場合、緩衝部材ＣＳ２１のカプセル付着部の反対部分、紙管１外側にカプセルＣＰ２１を付与する場合、紙管１内側のカプセル付着部の反対部分に、例えば、カプセルＣＰ２１を想起させる直径５ｍｍ程度の大きさの円形型マーキング「●」を付与する。
ちなみに、色付け、若しくは、マーキングの大きさや形状については、特に限定されるものではなく、利用者が認識可能な大きさや形状であればよい。
【００５０】
また、カプセルＣＰ２１を潰す際に、ロール状トイレットペーパー１００の巻き硬さが柔らか過ぎると、カプセルＣＰ２１を潰すのが難しくなる。このため、ロール状トイレットペーパー１００の巻き硬さは０．４０ｋｇｆ以上が好ましい。
【符号の説明】
【００５１】
１  紙管
２  トイレットペーパー（シート）
１１  内側紙管原紙
１２  外側紙管原紙
１００  ロール状トイレットペーパー（ロール状シート）
ＩＬ２１  内層
ＯＬ２１  外層
ＬＹ２１  紙管層
ＣＰ２１  カプセル
ＣＳ２１  緩衝部材
【図１】
0006604799.tif 000004
【図２】
0006604799.tif 000005
【図３】
0006604799.tif 000006
【図４】
0006604799.tif 000007